(57)【要約】【課題】壁等に表示をするようにしたカレンダーであって、祝祭日や誕生日等にポップアップ構成のパーツを貼り付けることによって、立体的で楽しい視覚を与えることができるポップアップカレンダーを提供する。【解決手段】カレンダー用紙の表面に日付を表示したカレンダーにおける祝祭日や誕生日等の特定日にカレンダー用紙とは別体に設けたポップアップパーツを貼り付け、台紙を折り曲げて立体形状に形成したポップアップパーツを平坦に折り畳む一方、ポップアップパーツの立体形状を起立状態に起すことによって台紙に付設した所定形状の絵柄用紙をカレンダー用紙の前方へ突出状態に表示可能とした。【選択図】図２
2014226803.tif 000002
【特許請求の範囲】
【請求項１】
カレンダー用紙の表面に日付を表示したカレンダーにおける祝祭日や誕生日等の特定日にカレンダー用紙とは別体に設けたポップアップパーツを貼り付け、台紙を折り曲げて立体形状に形成したポップアップパーツを平坦に折り畳む一方、ポップアップパーツの立体形状を起立状態に起すことによって台紙に付設した所定形状の絵柄用紙をカレンダー用紙の前方へ突出状態に表示可能としたことを特徴とするポップアップカレンダー。
【請求項２】
ポップアップパーツは、台紙に折り曲げ形成した棚部を有すると共に、該棚部を平坦形状から起立状態にする動作に連動して直角を成す２面に展開する折曲部を有し、該折曲部を展開した形状における垂直面に絵柄用紙を付設してなることを特徴とする請求項１記載のポップアップカレンダー。
【請求項３】
ポップアップパーツは、棚部を起立する前の平坦形状の背面に接着剤を塗布し、該接着剤に剥離紙を重ね合わせたことを特徴とする請求項１又は２記載のポップアップカレンダー。
【請求項４】
カレンダー用紙とは別体に設けた複数のポップアップパーツをパーツ用台紙に設けた複数の切込線に差し込むことによってカレンダーに貼り付ける前の待機状態にしておくことを特徴とする請求項１、２又は３記載のポップアップカレンダー。
【発明の詳細な説明】
【技術分野】
【０００１】
本発明は、壁等に表示するカレンダーであって、立体的で楽しい視覚を与えることができるポップアップカレンダーに関する。
【背景技術】
【０００２】
従来から、壁等に表示をするカレンダーは、通常１ヶ月又は２ヶ月単位に日付を表示したカレンダー用紙を必要な枚数だけ重ね、上部で閉じた構成のものが一般的である。
【０００３】
この種のカレンダーに関する従来例を参照すると、特許文献１に「シール付きカレンダー」が記載されている。このカレンダーは、種々の催し事の予定日を表示する多数のシールを備え、各シールに催し事の内容を記入しておき、各シールをカレンダー上の該当日に貼り付けるようにしたものである。
【０００４】
このような従来のカレンダーにおいて、各シールには催し事の祝儀および不祝儀に応じて使い分けするための着色が施され、余白は無着色の白抜きに形成されている。また、シールの裏面に施される接着剤は剥離を容易に行うことが可能な粘着性を有するものであり、これにより催し事の予定に変更があった場合でも、容易に張り替えることが可能である。
【０００５】
ところで、上記のカレンダーは、種々の催し事の予定日を表示するシールを備えたものであって、各シールをカレンダー上の該当日に貼り付けることによって、各種の予定日をカレンダー上に容易に表示することができるようにしたものである。
【０００６】
従って、上記のカレンダーは、祝祭日や誕生日等に該当する催し事の内容を容易に表示可能とした構成を有するものであり、カレンダーに立体的で楽しい視覚を与えるような意匠性を施したものではなかった。
【先行技術文献】
【特許文献】
【０００７】
【特許文献１】実用新案登録第３１３０９１８号公報
【発明の概要】
【発明が解決しようとする課題】
【０００８】
本発明は、上記のような事情に鑑みて成されたものであり、壁等に表示をするようにしたカレンダーであって、祝祭日や誕生日等にポップアップ構成のパーツを貼り付けることによって、立体的で楽しい視覚を与えることができるポップアップカレンダーを提供することを目的とする。
【課題を解決するための手段】
【０００９】
上記の問題を解決するために、本発明における請求項１のポップアップカレンダーは、カレンダー用紙の表面に日付を表示したカレンダーにおける祝祭日や誕生日等の特定日にカレンダー用紙とは別体に設けたポップアップパーツを貼り付け、台紙を折り曲げて立体形状に形成したポップアップパーツを平坦に折り畳む一方、ポップアップパーツの立体形状を起立状態に起すことによって台紙に付設した所定形状の絵柄用紙をカレンダー用紙の前方へ突出状態に表示可能としたことを特徴とする。
【００１０】
また、本発明における請求項２のポップアップカレンダーは、請求項１において、ポップアップパーツは、台紙に折り曲げ形成した棚部を有すると共に、該棚部を平坦形状から起立状態にする動作に連動して直角を成す２面に展開する折曲部を設け、該折曲部を展開した形状における垂直面に絵柄用紙を付設してなることを特徴とする。
【００１１】
また、本発明における請求項３のポップアップカレンダーは、請求項１又は２において、ポップアップパーツは、棚部を起立する前の平坦形状の背面に接着剤を塗布し、該接着剤に剥離紙を重ね合わせたことを特徴とする。
【００１２】
さらに、本発明における請求項４のポップアップカレンダーは、請求項１、２又は３において、カレンダー用紙とは別体に設けた複数のポップアップパーツをパーツ用台紙に設けた複数の切込線に差し込むことによってカレンダーに貼り付ける前の待機状態にしておくことを特徴とする。
【発明の効果】
【００１３】
本発明のポップアップカレンダーによれば、カレンダー用紙の表面に日付を表示したカレンダーにおける祝祭日や誕生日等の特定日にカレンダー用紙とは別体に設けたポップアップパーツを貼り付け、該ポップアップパーツを立体形状に起立させることが可能である。
【００１４】
また、ポップアップパーツは、パーツ用台紙に設けた複数の切込線に差し込むことによってカレンダーに貼り付ける前の待機状態、即ち、ポップアップパーツを平坦に潰した状態で保管しておくことが可能である。
【００１５】
さらに、ポップアップパーツを使用するには、所望のデザインのポップアップパーツをパーツ用台紙の切込線から抜き出し、棚部を台紙から起立させた状態で、ポップアップパーツをカレンダーの特定の日付の上に貼り付け、ポップアップパーツを立体形状に起立させることによって、絵柄用紙をカレンダー用紙の前方へ突出状態に表示した立体形状となる。
【００１６】
従って、本発明のポップアップカレンダーは、ポップアップパーツの台紙に祝祭日に関する日付を表示すると共に、その祝祭日に見合った意匠の絵柄用紙を用いて、祝祭日に該当するカレンダーの日付の上に貼り付けることができる。また、各カレンダー用紙を綴じたとき、ポップアップパーツは平坦に潰した状態にして、任意月のカレンダーを表示する際に、その月のカレンダー用紙の各ポップアップパーツを立体形状に起立することによって、各絵柄用紙をカレンダー用紙の前方へ突出状態に表示することが可能である。
【００１７】
さらに、本発明のポップアップカレンダーは、例えば、ポップアップパーツの台紙に、各種のスケジュールの一例として誕生日の図柄を施し、絵柄用紙に誕生ケーキ等を描いたポップアップパーツを家族や友人等の誕生日に該当する日付の上に貼り付け、絵柄用紙をカレンダー用紙の前方へ突出状態に表示することによって、立体的で楽しい見栄えのするカレンダーとして表示することが可能となる。
【図面の簡単な説明】
【００１８】
【図１】本発明による実施例のポップアップカレンダーの平面図である。
【図２】本発明による実施例のポップアップカレンダーからポップアップパーツを別体にした状態を示す平面図である。
【図３】本発明による実施例のポップアップカレンダーに使用するポップアップパーツを待機状態に整理するパーツ用台紙の平面図である。
【図４】本発明による実施例のポップアップカレンダーに用いるポップアップパーツを示す図であり、（ａ）は斜視図、(ｂ)は正面図、(ｃ)は側面図である。
【図５】本発明による実施例のポップアップカレンダーに用いるポップアップパーツを示す図であり、（ａ）は台紙を平坦に展開した状態を示す平面図、(ｂ)は絵柄用紙の平面図、(ｃ)は台紙の棚部を平坦にした平面図、(ｄ)は台紙の棚部を略平坦にした側面図、(ｅ)は台紙の棚部を平坦にした背面図、(ｆ)は台紙の棚部を起立状態にした背面図である。
【発明を実施するための形態】
【００１９】
以下、本発明の実施例について図面を参照しながら説明する。
【実施例】
【００２０】
本実施のポップアップカレンダー１は、カレンダー用紙１ａの表面に日付８を表示したカレンダーにおける祝祭日や誕生日等の特定日にカレンダー用紙１ａとは別体に設けたポップアップパーツ２を貼り付け、各ポップアップパーツ２を立体的に起立させることによって台紙３に付設した所定形状の絵柄用紙５をカレンダー用紙１ａの前方へ突出状態に表示可能としたものである。
【００２１】
このような本実施例について詳細に述べると、図１に示すポップアップカレンダー１は、１ケ月分の日付を表示したカレンダー用紙１ａを１年分重ねて、上部のホルダー６で固定したものである。また、ホルダー６の中央に形成した穴部６ａに、不図示の壁等に設けたフックを引っ掛けて室内等に表示することが可能となる。
【００２２】
なお、本実施例としては、上記のように１ケ月分の日付を表示したカレンダー用紙１ａを１年分重ねるタイプのカレンダーを用いている。ただし、本実施例のポップアップカレンダー１は、１枚のカレンダー用紙１ａに２ヶ月分の日付を表示したタイプのカレンダーや、面積の広い１枚のカレンダー用紙１ａに１年分の日付を表示したタイプのカレンダー等にも適用可能である。
【００２３】
また、図１に示すカレンダー用紙１ａは、例として１月の日付を表示したものであり、カレンダー用紙１ａの上部に曜日７を表示し、その下部に順次日付８を表示してある。さらに、各日付８の下部には六曜や祝祭日の名称９を表示し、その下部にユーザーがメモを記すことができるメモ欄１０を設けている。
【００２４】
このようなポップアップカレンダー１において、本実施例では、図２に示すように、カレンダー用紙１ａの祝祭日や誕生日等に該当する日付にポップアップパーツ２を貼り付けるようにしている。なお、ポップアップパーツ２のうち、ユーザーに共通する祝祭日等については、祝祭日用のポップアップパーツ２ａをカレンダー用紙１ａの該当日に予め貼り付けた状態で販売すると良い。
【００２５】
また、ポップアップパーツ２は、いずれも、台紙３を折り曲げて立体的に形成し、折り畳み可能であり、複数のカレンダー用紙１ａを使用したタイプのカレンダーでは、各カレンダー用紙１ａを重ねた状態で各ポップアップパーツ２は平坦に潰れた状態になるが、最上面に表示するカレンダー用紙１ａに貼り付けてあるポップアップパーツ２をユーザーの手で起すことによって立体形状にすることが可能である。
【００２６】
また、ユーザーのスケジュールの一例として使用する誕生日用のポップアップパーツ２ｂは、ユーザー毎に異なるため、図３に示すように、カレンダー用紙１ａとは別体に設けた複数のポップアップパーツ２を平坦形状にしてパーツ用台紙１１に設けた複数の切抜線１１ａに差し込むことによってカレンダーに貼り付ける前の待機状態にしておくことが可能である。
【００２７】
なお、図３に示すように、上記のパーツ用台紙１１は、例えば４枚の誕生日用のポップアップパーツ２を収納することができる大きさとし、隅部には、ポップアップパーツ２の使用方法に関する説明欄１２を設け、パーツ用台紙１１を下方に延長した広さとし、やや下方に設けた折曲げ線１３で折り返し可能としている。このような構成のパーツ用台紙１１は、折曲げ線１３で折り返した状態でカレンダー用紙１ａの下部を挟み込むことにより、販売の際に、カレンダー用紙１ａの下部に複数のポップアップパーツ２が配列されたパーツ用台紙１１を配置した状態で陳列することが可能となる。
【００２８】
上記のポップアップパーツ２は、祝祭日用のポップアップパーツ２ａであっても誕生日用のポップアップパーツ２ｂであっても、その構成は同様であり、後述する台紙３や絵柄用紙５に施す図柄の内容によって、祝祭日用としたり、誕生日用としたり、さらにはその他の用途のポップアップパーツ２とすることが可能である。
【００２９】
本実施例において、ポップアップパーツ２の構成は、図４（ａ）〜(ｃ)に示すように、台紙３に折り曲げ形成した棚部４を有すると共に、該棚部４を平坦形状から起立状態にする動作に連動して直角を成す２面に展開する折曲部１４を有し、図４(ｃ)に示すように、折曲部１４を展開した形状における垂直面１４ｃに絵柄用紙５を付設してなるものである。
【００３０】
このようなポップアップパーツ２の構造及び作成方法について述べると、図５（ａ）に示すように、長方形状の台紙３の下方から、棚部４の糊付け面４ａ、後面４ｂ、底面４ｃ、前面４ｄ、上面４ｅ、及び台紙の表示面３ａを各折曲げ線１５を介して折り曲げ自在に構成している。
【００３１】
また、上記のポップアップパーツ２において、図５（ａ）に示すように、棚部４の上面４ｅとパーツ表示面３ａとの折曲げ線１５を跨いで間隔をあけた２本の切込線１４ａ、１４ｂが形成され、各切込線１４ａ、１４ｂの上端と下端と中央部は折曲げ線１６で折り曲げ可能とされている。なお、上記の２本の切込線１４ａ、１４ｂの間は、上記のように、棚部４を平坦形状から起立状態にする動作に連動して直角を成す２面に展開する折曲部１４を形成するものとなる。
【００３２】
さらに、本実施例のポップアップパーツ２において、図４(ｃ)又は図５(ｄ)に示すように上記の折曲部１４を折り曲げた形状における垂直面１４ｃに、図５(ｂ)に示すような絵柄用紙５を付設して、図５(ｃ)に示すように絵柄用紙５を台紙３と一体構成にする。このようなポップアップパーツ２は、図５(ｄ)に示すように、台紙３の各折曲げ線１５（図５（ａ）参照）で折り曲げて糊付け面４ａを棚部４の上面４ｅの後端下部に接着することによって、断面四辺を有する棚部４が形成される。この棚部４は、図５(ｄ)においては、その断面形状を説明するために完全な平坦状に折り畳んだ状態とはしていないが、押し潰すことによって完全に平坦な状態に折り畳むことができ、その折り畳んだポップアップパーツ２の背面状況は図５(ｅ)のようになる。
【００３３】
そして、このポップアップパーツ２の棚部４を図４（ａ）〜(ｃ)に示すように起立させると、棚部４の側面形状は、図４(ｃ)に示すように、垂直をなす表示面３ａから水平方向に起立した長方形断面形状を有する棚部４を形成することとなる。
【００３４】
また、このように棚部４を起立状態に起す過程において、棚部４を平坦形状から起立状態にする動作に連動して、図４(ｃ)に示すように直角を成す２面を有する折曲部１４を形成し、垂直面１４ｃに付設した絵柄用紙５がカレンダー用紙１ａの前方へ突出状態に表示した立体形状となる。
【００３５】
さらに、本実施例においては、図５(ｅ)に示すように、上記のポップアップパーツ２において、棚部４を起立する前の平坦形状の背面に接着剤１７を塗布し、該接着剤１７に剥離紙１８を重ね合わせる。この接着剤１７を棚部４の上面４ｅの領域内まで設け、各接着剤１７の上面に剥離紙１８を重ね合わせると、図４(ｃ)に示すように棚部４を水平状に起立させた状態において、図５(ｆ)に示すように剥離紙１８の端部１８ａが、剥離紙１８の弾性によって下方に剥離し、その端部１８ａを指先で摘んで剥離紙１８を剥がす作業を容易に行うことが可能となる。
【００３６】
上記の本実施例のポップアップカレンダー１によれば、ポップアップパーツ２は、上記のようにその背面に設けられた剥離紙１８を剥がして露呈した接着剤１７で、図２に示すように、カレンダー用紙２の所定の日付の上に貼り付けることが可能である。
【００３７】
また、ポップアップパーツ２を使用するには、所望のデザインのポップアップパーツ２をパーツ用台紙１１の切抜線１１ａから抜き出し、棚部４を台紙３から起立させた状態で、ポップアップパーツ２をカレンダーの特定の日付の上に貼り付け、立体形状に起すことによって、絵柄用紙５がカレンダー用紙１ａの前方へ突出状態に表示した形状となる。
【００３８】
従って、本実施例のポップアップカレンダー１は、図１に示すように、ポップアップパーツ２の台紙３に祝祭日に関する日付を表示すると共に、その祝祭日に見合った意匠の絵柄用紙５を用いて、祝祭日に該当するカレンダーの日付の上に貼り付ける。そして、各カレンダー用紙１ａを綴じたとき、ポップアップパーツ２は平坦に潰した状態にしておき、任意月のカレンダーを表示する際に、その月のカレンダー用紙１ａの各ポップアップパーツ２を起立状態にすることによって、各絵柄用紙５をカレンダー用紙１ａの前方へ立体形状に突出したポップアップ状態に表示することが可能となる。
【００３９】
さらに、本実施例のポップアップカレンダー１は、図２に示すように、例えば、ポップアップパーツ２の台紙３に誕生日の図柄を施し、絵柄用紙５に誕生ケーキ等を描いたポップアップパーツ２を家族や友人等の誕生日に該当する日付の上に貼り付け、この絵柄用紙５をカレンダー用紙１ａの前方へ突出状態に表示することによって、立体的で楽しい視覚を与えるポップアップ構成のカレンダーとして表示することが可能となる。
【産業上の利用可能性】
【００４０】
本発明のポップアップカレンダーは、壁等に表示をするようにしたカレンダーであって、祝祭日や誕生日等にポップアップ構成のパーツを貼り付けることによって、立体的で楽しい視覚を与えることができるポップアップカレンダーとして利用可能である。
【符号の説明】
【００４１】
１  ポップアップカレンダー
１ａ  カレンダー用紙
２  ポップアップパーツ
２ａ  祝祭日用のポップアップパーツ
２ｂ  誕生日用のポップアップパーツ
３  台紙
３ａ  台紙の表示面
４  棚部
４ａ  糊付け面
４ｂ  後面
４ｃ  底面
４ｄ  前面
４ｅ  上面
５  絵柄用紙
６  ホルダー
６ａ  穴部
７  曜日
８  日付
９  六曜や祝祭日の名称
１０  メモ欄
１１  パーツ用台紙
１１ａ  切抜線
１２  説明欄
１３  折曲げ線
１４  折曲部
１４ａ、１４ｂ  切込線
１４ｃ  垂直面
１５  折曲げ線
１６  折曲げ線
１７  接着剤
１８  剥離紙
１８ａ  剥離紙の端部
【図１】
2014226803.tif 000003
【図２】
2014226803.tif 000004
【図３】
2014226803.tif 000005
【図４】
2014226803.tif 000006
【図５】
2014226803.tif 000007